(57)【要約】【課題】フードと顔面との間の隙間を極力少なくすることができる着脱可能な軟質のフードを備えると共に、フードを装着した場合にあっても、フレームの正面は通常の眼鏡やサングラスと殆ど変わらない外観を呈することができようにする。【解決手段】フレーム１に支持されたレンズ２を有する眼鏡本体と、この眼鏡本体の後方側に設けられたフード４とを備える。フード４は筒状をなし、柔軟性の高い素材により形成され、その前端部には係合用突起４４が設けられる。フレーム１のレンズ支持部１１の後方には、フード支持部３が設けられ、フード支持部３と係合部４４とを係合させることにより、フレームにフードが取り付けられる。【選択図】　　　　　図１
2004054068.tif 000002
【特許請求の範囲】
【請求項１】
フレーム（１）に支持されたレンズ（２）を有する眼鏡本体と、この眼鏡本体の後方側に設けられたフード（４）とを備えたフード付き眼鏡において、
このフード（４）が筒状をなすと共に、フレーム（１）よりも柔軟性の高い素材により形成されたものであり、
フレーム（１）のレンズ支持部（１１）の後方にフード支持部（３）が設けられ、
筒状をなすフード（４）の前端部には、上記のフード支持部（３）に嵌合する係合部（４４）が設けられ、
フード支持部（３）と係合部（４４）とを係合させることにより、フレームにフードを取り付けたことを特徴とする眼鏡。
【請求項２】
上記のフード（４）が軟質合成樹脂により、環状に形成されたものであり、
フレーム（１）のレンズ支持部（１１）は、左右の各レンズ（２）の全周を環状に支持するものであり、
フード支持部（３）は、レンズ支持部（１１）と略同形の環状をなすと共に、レンズ支持部（１１）の後方にレンズ支持部（１１）と所定の隙間（３２）を介して配位され、
上記係合部（４４）は、上記の環状をなすフード（４）の前端部の内周面から突出して設けられた係合用突起（４４）であり、
フード（４）の前端部にフード支持部（３）の外周面を嵌め合わせると共に、上記の隙間（３２）に係合用突起（４４）を係合させることにより、フレームにフードを取り付けたことを特徴とする請求項１記載の眼鏡。
【発明の詳細な説明】
【０００１】
【発明の属する技術分野】
本願発明は、フード付き眼鏡に関するものである。
【０００２】
【従来の技術】
従来より、フード付き眼鏡は、花粉症対策、防塵対策、ウインタースポーツ等のスポーツ時の目の保護に主として使用されている。
このフード付き眼鏡におけるフードの目的は、顔面と眼鏡との間から塵や花粉等が侵入することを防ぐことにあり、従来より種々の形式のものが提案されている。例えば、フードを硬質素材によって形成し、フレームと一体に設けるものが知られている。さらに、この硬質のフードの内側に出没可能なカバーを設けたものも提案されている（実開平７−２７５３０）。ところが、この硬質素材によるフードは、顔面との密着感に乏しく、また、顔面をフードによって傷つけるおそれもある。また、フードが着脱式となっていないため、フードが不要な場合には、フードが邪魔になってしまう。軟質のフードを備え、フードを着脱式としたものとしては、実用新案登録第３０２０８４７が提案されているが、フードをフレームに被せるようにして取り付けるため、フレームがフードによって覆い隠されものとなり、外観上、通常の眼鏡やサングラスとはかけ離れたものとなってしまう。
【０００３】
【発明が解決しようとする課題】
本願発明は、フードと顔面との間の隙間を極力少なくすることができる着脱可能な軟質のフードを備えると共に、フードを装着した場合にあっても、フレームの正面は通常の眼鏡やサングラスと殆ど変わらない外観を呈することができ、自然な外観を備えたフード付き眼鏡を提供せんとするものである。
【０００４】
【課題を解決するための手段】
そこで本願の第１の発明は、フレーム１に支持されたレンズ２を有する眼鏡本体と、この眼鏡本体の後方側に設けられたフード４とを備えたフード付き眼鏡において、このフード４が筒状をなすと共に、フレーム１よりも柔軟性の高い素材により形成されたものであり、フレーム１のレンズ支持部１１の後方にフード支持部３が設けられ、筒状をなすフード４の前端部には、上記のフード支持部３に嵌合する係合部４４が設けられ、フード支持部３と係合部４４とを係合させることにより、フレームにフードを取り付けたことを特徴とする眼鏡を提供する。
本願の第２の発明は、第１の発明に係る眼鏡において、上記のフード４が軟質合成樹脂により、環状に形成されたものであり、フレーム１のレンズ支持部１１は、左右の各レンズ２の全周を環状に支持するものであり、フード支持部３は、レンズ支持部１１と略同形の環状をなすと共に、レンズ支持部１１の後方にレンズ支持部１１と所定の隙間３２を介して配位され、上記係合部４４は、上記の環状をなすフード４の前端部の内周面から突出して設けられた係合用突起４４であり、フード４の前端部にフード支持部３の外周面を嵌め合わせると共に、上記の隙間３２に係合用突起４４を係合させることにより、フレームにフードを取り付けたことを特徴とするものを提供する。
【０００５】
【発明の実施の形態】
以下、図面に基づき本願発明の実施の形態を説明する。
図１は、本願発明の実施の形態に係るフード付き眼鏡の斜視図であり、図２は同眼鏡のフレームの平面図であり、図３は同フレームの要部斜視図であり、図４は同眼鏡のフードの斜視図であり、図５は同眼鏡の要部斜視図である。
【０００６】
このフード付き眼鏡は、フレーム１に支持されたレンズ２、２有する眼鏡本体と、この眼鏡本体の後方側に設けられたフード４とを備える。
この実施の形態では、フレームは、メタルフレームを採用したもので、左右一対のレンズ２、２を夫々支持するレンズ支持部１１、１１を備える。この左右のレンズ支持部１１、１１は、互いにブリッジ１２にて接続され、また、左右両端には、必要に応じてヒンジを介して、テンプル１３が接続されている。
【０００７】
各レンズ支持部１１は、各レンズ２の全周を環状に支持するものであり、その後方（顔面に近づく方向）にフード支持部３が設けられている。このフード支持部３は、レンズ支持部１１と同一の形の環状をなし、複数のスペーサ３１によってレンズ支持部１１に接続固定されている。スペーサ３１は、フード支持部３とレンズ支持部１１との間隔を所定の間隔（例えば０．５ｍｍから２ｍｍ）に保って、両者を固定するもので、環状のフード支持部３の周方向に複数箇所設けられている。このスペーサ３１は、フード支持部３とレンズ支持部１１との何れか一方と一体に形成して他方に接着するようにしてもよく、３者３１、３、１１を全て別体に形成してもよく、全てを一体に形成してもよい。そして、これらのスペーサ３１、３１間の空間が受容部３２となり、この受容部３２に、後述するフード４の係合用突起４４が嵌入される。
【０００８】
フード４は、透明又は不透明の合成樹脂により形成され、フード支持部３と略同じ形状の前端部４１を備えた筒状をなす。フード４は、後方側へ長く伸ばされた長側部４２と、比較的短く後方の伸ばされた短側面４３とを備える。長側部４２は右目の場合には右端に配位され、左目の場合には左端に配位され、顔面の左右側部にうまく沿うようになされている。他方、短側面４３は、鼻付近にうまく沿うようになされている。両側面４２、４３間の部位も、顔面の形状にうまく沿うように、所定の長さに設定されている。
【０００９】
このフード４の前端部４１には、上記のフード支持部３に嵌合する係合部として、係合用突起４４が設けられている。より詳しくは、フード４の前端部４１はフード支持部３の外周面と略同じ大きさの内周面を備え、この内周面から径内方向に向けて係合用突起４４が径内方向に向けて突出して設けられている。この係合用突起４４は、複数が所定間隔を隔てて設けられており、フード４を変形させて、上記の複数の受容部３２に嵌入して嵌め合わされる。
このフード４は、フレームよりも柔軟性の高い素材（例えば軟質合成樹脂や中硬質合成樹脂）により形成され、特に、上記の嵌入時の変形が可能な程度の柔軟性を備える。
【００１０】
このフード４を取り付けた状態を図５に示す。取付に際しては、フード４を変形させつつ、その前端部４１にフード支持部３の外周面を嵌め合わせる。これにより、環状をなすフード４の弾性によって、全体がフード支持部３に支持される。これと共に、受容部３２に係合用突起４４を係合させることにより、フレームにフードが確実に取り付けられる。そして、図５から明らかなように、フード４の前端部４１は、レンズ支持部１１から前方には突出しておらず、通常の眼鏡に近い外観を示す。しかも、フード４は、フード支持部３と略同じ形状の前端部４１を備えた筒状をなすため、目の周囲がフードによって覆われ、外部から花粉や塵が入ってくるのを確実に防ぐことができる。フード４を取り外す場合には、フードを変形させつつ、引き抜くことにより取り外すことができる。
【００１１】
以上の実施の形態の他、本願発明は種々変更して実施し得る。例えば、この例では、スペーサ３１は、フード支持部３やレンズ支持部１１の線材と同じ太さのものを採用しているが、平板状のものとして、周方向にも適宜長さを備えたものとしてもよい。係合用突起４４は、受容部３２と同じ周方向長さを備えたものであってもよいが、これより短いものであってもよい。受容部３２の数と係合用突起４４とは一致してもよく、一致しなくてもよい。１つの受容部３２に、複数の短い係合用突起４４を嵌合させてもよい。逆に、ある受容部３２については、係合用突起４４が嵌め合わされず、他の受容部３２についてのみ係合用突起４４が嵌め合わされるといった構造としてもよい。また、係合用突起４４の先端側に抜け止め用の小突起を設けるようにしてもよい。さらに、フード支持部３に突起を設け、フード４側に受容部を設けるようにしてもよい。但し、外観を考慮すると、フード４側に係合用突起４４を設ける方が有利である。フレームは、メタルフレームを例に挙げたが、合成樹脂製のフレームを用いてもよく、サングラスとして実施してもよい。
【００１２】
【発明の効果】
本願発明は、フードと顔面との間の隙間を極力少なくすることができる着脱可能な軟質のフードを備えると共に、フードを装着した場合にあっても、フレームの正面は通常の眼鏡やサングラスと殆ど変わらない外観を呈することができ、自然な外観を備えたフード付き眼鏡を提供することができたものである。
【図面の簡単な説明】
【図１】本願発明の実施の形態に係るフード付き眼鏡の斜視図である。
【図２】同眼鏡のフレームの平面図である。
【図３】同フレームの要部斜視図である。
【図４】同眼鏡のフードの斜視図である。
【図５】同眼鏡の要部斜視図である。
【符号の説明】
１　　フレーム
２　　レンズ
３　　フード支持部
４　　フード
１１　レンズ支持部
４４　係合用突起（係合部）
３２　受容部（隙間）
【図１】
2004054068.tif 000003
【図２】
2004054068.tif 000004
【図３】
2004054068.tif 000005
【図４】
2004054068.tif 000006
【図５】
2004054068.tif 000007